(57)【要約】【課題】本発明は、ゲートウェイに無線通信モジュールを脱着可能に形成することによって、追加的な通信方式をモジュールの取替無しでサポートすることができるので、費用の低減が可能なゲートウェイシステムを提供するためのものである。【解決手段】本発明は、少なくとも１つの電子機器を制御するゲートウェイシステムにおいて、前記電子機器に第１無線ネットワークを用いて制御信号を送出するゲートウェイモジュール、そして前記ゲートウェイモジュールに着脱式により結合して前記第１無線ネットワークと異なる第２無線ネットワークを前記ゲートウェイモジュールに提供する少なくとも１つの通信モジュールを含むゲートウェイシステムを提供する。【選択図】図３
2014103667.tif 000002
【特許請求の範囲】
【請求項１】
少なくとも１つの電子機器を制御するゲートウェイシステムであって、
前記電子機器に第１無線ネットワークを用いて制御信号を送出するゲートウェイモジュールと、
前記ゲートウェイモジュールに着脱式により結合して前記第１無線ネットワークと異なる第２無線ネットワークを前記ゲートウェイモジュールに提供する少なくとも１つの通信モジュールと、
を含むことを特徴とする、ゲートウェイシステム。
【請求項２】
前記ゲートウェイモジュールは、前記通信モジュールと結合するためのコネクターを含むことを特徴とする、請求項１に記載のゲートウェイシステム。
【請求項３】
前記ゲートウェイモジュールは、前記第１または第２無線ネットワークを介して前記電子機器の制御信号を転送する無線コントローラと送受信することを特徴とする、請求項１または２に記載のゲートウェイシステム。
【請求項４】
前記通信モジュールは、
内部に空間を有するハウジングと、
前記ハウジングの空間に配置されるモジュール基板と、を含み、
前記モジュール基板は、
アンテナ部と、
前記アンテナ部から前記制御信号を受信し、出力信号を生成する通信モジュール部と、
前記出力信号を転送する複数のピンが形成されているインターフェース部と、
を含むことを特徴とする、請求項１乃至３のうち、いずれか１項に記載のゲートウェイシステム。
【請求項５】
前記ハウジングは、
前記アンテナ部を収容する第１収容部と、
前記通信モジュール部を収容する第２収容部と、を含み、
前記インターフェース部は、前記ハウジングの外部に突出していることを特徴とする、請求項４に記載のゲートウェイシステム。
【請求項６】
前記複数のピンのうちの１つは、前記通信モジュールと前記ゲートウェイモジュールの脱着情報を転送することを特徴とする、請求項４または５に記載のゲートウェイシステム。
【請求項７】
前記電子機器は、少なくとも１つの照明装置を含むことを特徴とする、請求項１乃至６のうち、いずれか１項に記載のゲートウェイシステム。
【請求項８】
着脱式により結合された通信モジュールから前記ゲートウェイモジュールに内蔵された第１無線ネットワークと異なる第２無線ネットワークの提供を受けるゲートウェイシステムの駆動方法であって、
前記通信モジュールのインターフェースから脱着情報を受信するステップと、
前記通信モジュールに対する情報を要請するステップと、
前記通信モジュールから前記通信モジュールに対する情報を受信するステップと、
前記第２無線ネットワークを介して外部の電子機器を制御するステップと、
を含むことを特徴とする、ゲートウェイシステムの駆動方法。
【請求項９】
前記脱着情報を受信するステップは、
前記通信モジュールのインターフェースから入力端に脱着情報を受けて前記入力端の電圧を可変し、
前記ゲートウェイモジュールの入力端の電圧はハイから前記通信モジュールが結合されればローに遷移することを特徴とする、請求項８に記載のゲートウェイシステムの駆動方法。
【請求項１０】
前記通信モジュールに対する情報は、前記通信モジュールが提供する前記第２無線ネットワークに対する情報を含むことを特徴とする、請求項８または９に記載のゲートウェイシステムの駆動方法。
【発明の詳細な説明】
【技術分野】
【０００１】
本発明は、通信モジュールを含むゲートウェイシステム及びゲートウェイシステムの駆動方法に関するものである。
【背景技術】
【０００２】
一般に、照明装置を点灯または消灯させるために照明装置と有線で連結されたスイッチを直接手動で操作した。前記のような場合、挙動が不便な患者や老弱者、またはスイッチに手が着かない子供が前記照明装置を点灯または消灯させることに不便性があった。
【０００３】
最近、前記のような不便性を解消するためにリモコンなどの遠隔制御装置を用いて照明装置を点灯または消灯させるか、照明の強さなどを調節することができる照明装置が市場に発表されている。
【０００４】
また、ホームネットワークシステムと連動して複数の照明装置を各々制御するか、または同時に制御することができる。
【０００５】
一方、照明市場と通信市場が多様化するにつれて、照明装置の特性（色温度、ディミング値、明るさなど）を選択的に制御するか、多様な無線通信方式｛Zigbee（登録商標）、WiFi、BLUETOOTH（登録商標）など｝のうち、速度／距離／消費電力などを考慮した通信方式の選択要求が増加している。
【０００６】
しかしながら、既存のホームネットワークシステムのゲートウェイシステムが特定通信方式を提供している場合、追加的な通信方式のサポートが困難であるという問題点がある。
【発明の概要】
【発明が解決しようとする課題】
【０００７】
本発明の実施形態では、ゲートウェイに脱着可能な通信モジュールを結合したゲートウェイシステムを提供する。
【課題を解決するための手段】
【０００８】
本発明の一実施形態によると、少なくとも１つの電子機器を制御するゲートウェイシステムにおいて、前記電子機器に第１無線ネットワークを用いて制御信号を送出するゲートウェイモジュール、そして前記ゲートウェイモジュールに着脱式により結合して前記第１無線ネットワークと異なる第２無線ネットワークを前記ゲートウェイモジュールに提供する少なくとも１つの通信モジュールを含むゲートウェイシステムを提供する。
【０００９】
また、本発明の一実施形態によると、着脱式により結合された通信モジュールから前記ゲートウェイモジュールに内蔵された第１無線ネットワークと異なる第２無線ネットワークの提供を受けるゲートウェイシステムの駆動方法において、前記通信モジュールのインターフェースから脱着情報を受信するステップ、前記通信モジュールに対する情報を要請するステップ、前記通信モジュールから前記通信モジュールに対する情報を受信するステップ、そして前記第２無線ネットワークを介して外部の電子機器を制御するステップを含むゲートウェイシステムの駆動方法を提供する。
【発明の効果】
【００１０】
本発明の様々な実施形態によれば、ゲートウェイに無線通信モジュールを脱着可能に形成することによって、追加的な通信方式をモジュールの取替無しでサポートすることができるので、費用が低減される。
【００１１】
本発明の様々な実施形態によれば、脱着式通信モジュールを適用して電子機器または無線コントローラのスペックによって多様な通信方式により電子機器を制御することができる。
【００１２】
本発明の様々な実施形態によれば、通信モジュールの内の無線通信部で多様な無線通信方式｛Zigbee（登録商標）、WiFi、BLUETOOTH（登録商標）など｝が選択的に具現されるようにすることによって、速度／距離／消費電力などを考慮して最適の無線通信方式を選択して使用することによって、効果的なデータ送受信及び制御を遂行することができる。
【００１３】
本発明の様々な実施形態によれば、前記通信モジュールのインターフェース部の複数のピンが所定の順序と用途に標準化できる。
【図面の簡単な説明】
【００１４】
【図１】本発明の一実施形態に従うホームネットワークシステムを示す構成図である。
【図２】図１のゲートウェイの通信方式を示す構成図である。
【図３】図２のゲートウェイを示す斜視図である。
【図４】図１の無線コントローラの構成図である。
【図５】図１の通信モジュールの構成図である。
【図６】図５の通信モジュールの斜視図である。
【図７】（ａ）は、図６の通信モジュールの上面図である。また、（ｂ）は、図６の通信モジュールの側面図である。
【図８】図６の通信モジュール内部の印刷回路基板の上面図である。
【図９】図２のゲートウェイと通信モジュールのインターフェース部との間の対応関係を示す構成図である。
【図１０】図９の対応関係を満たす通信モジュールの回路図である。
【図１１】ゲートウェイと通信モジュールとの間の動作を示す順序図である。
【発明を実施するための形態】
【００１５】
以下、添付した図面を参考にして本発明の実施形態に対して本発明が属する技術分野で通常の知識を有する者が容易に実施できるように詳細に説明する。しかしながら、本発明は多様な相異する形態に具現されることができ、ここで説明する実施形態に限定されるものではない。そして、図面において、本発明を明確に説明するために説明と関係ない部分は省略し、明細書の全体を通じて類似の部分に対しては類似の図面符号を付けた。
【００１６】
明細書の全体で、どの部分がどの構成要素を“含む”とする時、これは特別に反対になる記載がない限り、他の構成要素を除外するものでなく、他の構成要素をさらに含むことができることを意味する。
【００１７】
図面において、多数の層及び領域を明確に表現するために厚さを拡大して表した。明細書の全体を通じて類似の部分に対しては類似の図面符号を付けた。層、膜、領域、板などの部分が他の部分の“上に”あるとする時、これは他の部分の“真上に”ある場合だけでなく、その中間に更に他の部分がある場合も含む。反対に、どの部分が他の部分の“真上に”あるとする時には中間に他の部分がないことを意味する。
【００１８】
本発明は、ゲートウェイに着脱可能な通信モジュールを含むホームネットワークシステムを提供する。
【００１９】
以下、図１乃至図５を参考にして照明システムを説明する。
【００２０】
図１は本発明の一実施形態に従うホームネットワークシステムを示す構成図であり、図２は図１のゲートウェイの通信方式を示す構成図であり、図３は図２のゲートウェイを示す斜視図であり、図４は図１の無線コントローラの構成図であり、図５は図１の通信モジュールの構成図である。
【００２１】
ホームネットワークシステム１０は、ホームゲートウェイシステム４０及び複数の電子機器２１を含む。
【００２２】
図面に図示したように、ホームゲートウェイシステム４０は外部通信ネットワークと連結され、内部の通信ネットワークを介して無線コントローラ３０及び複数の電子機器２１と連結される。
【００２３】
前記ホームゲートウェイシステム４０は、外部通信ネットワークと無線コントローラ３０及び複数の電子機器２１の間に送受信されるデータをインターフェースする。
【００２４】
電子機器２１は１つ以上含まれることができ、本実施形態では３個の電子機器２１を図示している。
【００２５】
前記無線コントローラ３０は、ホームゲートウェイシステム４０と無線ネットワークを介して連結されているリモートコントローラであることがあるが、ノートブック、スマートフォンなどの携帯端末であることがある。
【００２６】
前記電子機器２１は、代表的に、電話機、コンピュータだけでなく、マルチメディアサービスが多様化するにつれて、家庭内で超高速通信網などの外部通信ネットワークに接続できるインターネット冷蔵庫、ディジタルＴＶ、セットトップボックスなどのネットワーク機能を備えた多様な家電なども考慮できる。
【００２７】
また、前記電子機器２１はホームゲートウェイシステム４０と連結されているディミング装置などにより制御される少なくとも１つの照明装置を含む。
【００２８】
また、前記電子機器２１は家庭内に配置されている少なくとも１つのセンサーを含むことができる。
【００２９】
各々の無線コントローラ３０及び電子機器２１は、多様な形態のネットワークによりホームゲートウェイシステム４０と接続する。
【００３０】
この際、多様な形態のネットワークは互いに異なる転送帯域幅でデータを送受信することができ、前記ホームゲートウェイシステム４０のカバレッジによってジグビー、ブルートゥース、Ｚウェーブ、またはワイファイなどの無線方式が適用できる。
【００３１】
前記ホームゲートウェイシステム４０は、図１のように、ゲートウェイ４１及びサーバ４２を含む。
【００３２】
前記ゲートウェイ４１は、少なくとも１つの無線通信方式により家庭内の無線通信で制御される電子機器２１を制御する。
【００３３】
サーバ４２は、ゲートウェイ４１及び外部通信ネットワークと連結されており、前記ゲートウェイ４１に転送される無線コントローラ３０及び電子機器２１の信号を格納し、前記ゲートウェイ４１から発送される信号を格納する。
【００３４】
このようなサーバ４２は、前記無線コントローラ３０、電子機器２１、及びゲートウェイ４１の信号を格納するための格納部をさらに含むことができる。
【００３５】
前記サーバ４２は、無線コントローラ３０と外部ネットワークであるクラウド網を介して連結されて家庭内の電子機器２１を制御することができる。
【００３６】
このようなゲートウェイシステム４０のゲートウェイ４１は、図２のように、ゲートウェイモジュール５００及び前記無線コントローラ３０及び電子機器２１と送受信して制御信号を送受信する通信モジュール４００を含む。
【００３７】
前記通信モジュール４００は、図３のように、ゲートウェイモジュール５００のコネクター５１１に挿入固定されて制御信号を伝達する着脱式により構成される。
【００３８】
前記ゲートウェイモジュール５００は、前記通信モジュール４００のインターフェース部４５０の複数のピンが挿入固定される少なくとも１つのコネクター５１１を含む。
【００３９】
前記コネクター５１１は、図３のように突出していることがあり、ゲートウェイモジュール５００の制御部と連結できる。
【００４０】
このように、ゲートウェイ４１の通信モジュール４００がゲートウェイモジュール５００と着脱式により構成されてゲートウェイモジュール５００が提供する無線方式の以外の無線方式を提供することができる。
【００４１】
即ち、ゲートウェイモジュール５００がジグビーとワイファイの通信方式を提供する場合、ブルートゥースの通信方式を提供する通信モジュール４００を締結してブルートゥースにより電子機器２１及び無線コントローラ３０と送受信することができる。
【００４２】
前記無線コントローラ３０は、ユーザ命令を入力するための入力手段であって、無線ネットワークを介してユーザの命令に従う制御信号を通信モジュール４００に転送する。
【００４３】
前記無線コントローラ３０は、リモートコントローラまたはスマートフォンなどでありうる。
【００４４】
前記無線コントローラ３０と通信モジュール４００との間の無線ネットワークは、無線環境によって決定できる。
【００４５】
無線制御として、ワイファイ（Wifi）、ジグビー｛Zigbee（登録商標）｝、ブルートゥース｛Bluetooth（登録商標）｝、またはＺウェーブ（Z-wave）などのネットワークが適用できる。
【００４６】
前記無線コントローラ３０は、図４のような構成を有することができる。
【００４７】
図４を参考すると、前記無線コントローラ３０は、モード切換部３０１、メモリ部３０３、電源／充電部３０５、制御部３０７、及び送／受信部３０９を含む。
【００４８】
モード切換部３０１は、動作モード切換、例えばリモコンの一般的な機能を遂行してから電子機器制御切換を遂行することができる。
【００４９】
前記メモリ部３０３は、運用及び通信制御プログラム／プロトコルなどが格納できる。
【００５０】
前記電源／充電部３０５は、無線コントローラ３０の動作のために充電及び電源を提供する。
【００５１】
送／受信部３０９は、制御部３０７から提供されるユーザ命令が設定されている無線ネットワークを介してゲートウェイ４１の通信モジュール４００に転送する。
【００５２】
制御部３０７は、前記メモリ部３０３の格納データを用いてモード切換部３０１、電源／充電部３０５、及び送／受信部３０９の動作を制御する。
【００５３】
このような通信モジュール４００は、図５のような構成を有する。
【００５４】
前記通信モジュール４００は、１つのハウジング４１１、４３１から構成され、ハウジング４１１、４３１のうちの１つのユニットを構成し、アンテナ部４１０、無線通信部４３０、及びインターフェース部４５０が形成されている。
【００５５】
アンテナ部４１０は、前記無線コントローラ３０及び電子機器２１から無線ネットワークを介して転送される制御信号を受信する。
【００５６】
無線通信部４３０は、前記アンテナ部４１０から制御信号を受信し、制御信号によって前記ゲートウェイモジュール５００に転送される複数の出力信号を生成する。
【００５７】
前記無線通信部４３０は、前記無線ネットワークの種類によって前記アンテナ部４１０の制御信号を分析する通信集積回路４３５を含む。
【００５８】
即ち、前記通信モジュール４００は決定されている無線ネットワーク環境によって選択的に通信集積回路４３５を選択して通信モジュール４００の内に実装することができる。
【００５９】
前記通信集積回路４３５は、ジグビー、Ｚウェーブ、ワイファイ、またはブルートゥースなどの通信方式のうち、少なくとも１つをサポートすることができる。
【００６０】
インターフェース部４５０は、前記無線通信部４３０から出力される複数の出力信号に対応する複数のピン４５２ａ、４５２ｂ、４５４ａ、４５４ｂ、４５４ｃを含む。
【００６１】
前記複数のピン４５２ａ、４５２ｂ、４５４ａ、４５４ｂ、４５４ｃは、図５のように５個であることがあるが、これに限定されるものではない。
【００６２】
前記通信モジュール４００のインターフェース部４５０とゲートウェイモジュール５００のインターフェースは、制御方式によって、各ピン４５２ａ、４５２ｂ、４５４ａ、４５４ｂ、４５４ｃの出力信号を設定することができる。
【００６３】
前記制御方式に従う各ピン４５２ａ、４５２ｂ、４５４ａ、４５４ｂ、４５４ｃの構成は後で詳細に説明する。
【００６４】
以下、図６乃至図８を参考してゲートウェイモジュール５００に挿入固定される脱着式通信モジュール４００の構成を説明する。
【００６５】
図６は図１の通信モジュールの斜視図であり、図７ａ及び図７ｂは図６の通信モジュールの上面図及び側面図であり、図８は図６の通信モジュールの内部の印刷回路基板の上面図である。
【００６６】
図６乃至図８を参考すると、実施形態の通信モジュール４００は、アンテナ部４１０、無線通信部４３０、及びインターフェース部４５０が集積されている印刷回路基板、及び前記印刷回路基板の一部を収容するハウジング４１１、４３１で構成される。
【００６７】
図６のように、ハウジング４１１、４３１はインターフェース部４５０に対応する領域を外部に突出し、前記印刷回路基板を収容する。
【００６８】
前記ハウジング４１１、４３１は、アンテナ部４１０が収容される第１収容部４１１、及び前記第１収容部４１１から第１方向（ｘ）に突出しており、前記無線通信部４３０を収容する第２収容部４３１を含む。
【００６９】
前記第１及び第２収容部４１１、４３１は、１つの胴体で形成されることができ、第１方向（ｘ）に垂直な第２方向（ｚ）に結合される上部胴体及び下部胴体の結合体でありうる。
【００７０】
前記ハウジング４１１、４３１は絶縁物質で形成されることができ、好ましくはポリイミドのようなリジッドタイプのプラスチック材で形成できる。
【００７１】
第１収容部４１１は、内部に印刷回路基板のアンテナ部４１０を収容する空間を有し、第３方向（ｙ）に長い長方形の形状を有する。
【００７２】
前記第１収容部４１１は、第３方向（ｙ）への第１幅（ｄ１）が２０乃至２５ｍｍ、好ましくは２２ｍｍであることがあり、第１方向（ｘ）への幅（ｄ６）が６乃至７ｍｍ、好ましくは６．４乃至６．５ｍｍであることがある。また、第１収容部４１１の第２方向（ｚ）への高さ（ｄ４）は７乃至８ｍｍ、好ましくは７．７ｍｍであることがある。
【００７３】
前記第１収容部４１１の辺は面取りされて曲率を有することができる。
【００７４】
前記第１収容部４１１の空間に挿入されている印刷回路基板は、アンテナ部４１０に対応するアンテナ領域を含む。
【００７５】
前記アンテナ領域４１０ａは、図８のように、印刷回路基板の一端に形成されており、支持基板４３２の上にパターニングされているアンテナパターン４１５を含む。
【００７６】
前記アンテナパターン４１５は、平板逆Ｆアンテナ形態（Planar Inverted F Antenna；ＰＩＦＡ）を有することができるが、これに限定されるものではない。
【００７７】
即ち、アンテナパターン４１５はモノポールアンテナ（monopole antenna）形態、またはダイポールアンテナ（dipole antenna）形態などで具現されることもできる。
【００７８】
このようなアンテナ領域４１０ａは、支持基板４３２がアンテナの誘電胴体を構成し、前記支持基板４３２の上にアンテナパターン４１５、基板４３２の下部にグラウンド層（図示せず）、及び誘電胴体４３２の内部または外部にマッチングパターン（図示せず）を含むことができる。
【００７９】
アンテナ部４１０は、予め定まった周波数帯域の信号送受信のために提供される。即ち、アンテナパターン４１５は、一定周波数帯域で共振して信号を通過させることができる。このようなアンテナパターン４１５は、予め定まった基準インピーダンスで共振する。
【００８０】
このようなアンテナパターン４１５は、グラウンド層に隣接して一端が給電点が位置するように配置される。ここで、給電点は誘電胴体である基板４３２を貫通して、基板４３２の下部面に延びることができる。この際、アンテナパターン４１５は少なくとも１つの曲折部により区分される少なくとも１つの水平成分回路と垂直成分回路からなることができる。
【００８１】
例えば、アンテナパターン４１５は各々ミアンダ（meander）タイプ、スパイラル（spiral）タイプ、ステップ（step）タイプ、ループ（loop）タイプなどのうち、少なくともいずれか１つの転送回路で形成できる。
【００８２】
グラウンド層は、アンテナパターン４１５の接地のために提供される。
【００８３】
内部または外部マッチングパターンは、アンテナパターン４１５のインピーダンスを基準インピーダンスにマッチングさせるために提供される。
【００８４】
このように、アンテナ部４１０を平板型に形成することによって、小型通信モジュール４００に集積可能である。
【００８５】
前記アンテナパターン４１５は、伝導性物質、銅、アルミニウム、ニッケル、モリブデンなどの金属を含む物質で形成できる。
【００８６】
一方、前記第１収容部４１１から第１方向（ｘ）に突出している第２収容部４３１は、第３方向（ｙ）への（ｄ２）が１７乃至１８ｍｍ、好ましくは１７．４乃至１７．５ｍｍであることがあり、第１方向（ｘ）への幅（ｄ７）が１８乃至１９ｍｍ、好ましくは１８乃至１８．２ｍｍであることがある。また、第２収容部４３１の第２方向（ｚ）への高さ（ｄ５）は４．５乃至５．２ｍｍ、好ましくは５ｍｍであることがある。
【００８７】
このように、前記第２収容部４３１は第１収容部４１１より第３方向（ｙ）への幅（ｄ２）が小さくて第１収容部４１１の側面に所定のダミー空間が形成され、第２収容部４３１が第１収容部４１１より小さい高さ（ｄ５）を有するので、第２収容部４３１は第１収容部４１１から段差を有して形成できる。
【００８８】
前記第２収容部４３１は、内部に印刷回路基板の無線通信部４３０を収容するための空間を有する柱型に形成され、第２収容部４３１は図６のように直六面体の形状を有することができる。
【００８９】
前記第１収容部４１１の側面に形成される空間には固定部４１３が形成されている。
【００９０】
前記固定部４１３は、図６のように第１収容部４１１と第２収容部４３１との面積差により形成されるダミー空間に形成され、第１収容部４１１の側面から第１方向（ｘ）に突出している。
【００９１】
前記固定部４１３は、ハウジング４１１、４３１の胴体と一体に形成されて、一端に三角形の突起を有するので、照明モジュール５００との挿入時に係止して固定力を向上させることができる。
【００９２】
このような固定部４１３は、第２収容部４３１の両側面に各々形成されることができ、三角形の突起が外部に向かうように互いに反対に形成できる。
【００９３】
一方、前記第２収容部４３１の空間に挿入されている無線通信部４３０に対応する印刷回路基板のモジュール領域４３０ａは、図８のように複数の素子が実装されている。
【００９４】
前記モジュール領域４３０ａは、内部に前記無線コントローラ３００と送受信のための無線集積回路４３５が実装されており、前記無線集積回路４３５は無線環境によって、ジグビー、ワイファイ、Ｚウェーブ、及びブルートゥースなどの無線集積回路４３５のうち、１つを選択して実装することができる。この際、前記無線集積回路４３５の種類によって周辺部の手動素子及び回路構成は可変できる。
【００９５】
前記モジュール領域４３０ａとアンテナ領域４１０ａとの境界領域には外装型アンテナとの連結のための連結パターン４３３が形成されることもできる。
【００９６】
前記モジュール領域４３０ａと端子領域４５０ａとの間の境界領域には、ハウジング４１１、４３１と印刷回路基板の固定のための陥没部４３６が形成されており、前記陥没部４３６はハウジング４１１、４３１の内面に形成される突起と結合する。
【００９７】
一方、前記ハウジング４１１、４３１の第２収容部４３１の端部に突出しているインターフェース部４５０に対応する印刷回路基板の端子領域４５０ａは、図６のように複数のピン４５２ａ、４５２ｂ、４５４ａ、４５４ｂ、４５４ｃを含む。
【００９８】
前記端子領域４５０ａは、前記ハウジング４１１、４３１の端部から第１方向（ｘ）への幅が３．５乃至４．０ｍｍの長さ（ｄ８）を有し、第３方向（ｙ）への幅（ｄ３）が１５ｍｍの距離を有することができる。
【００９９】
前記端子領域４５０ａは支持基板４３２の上に複数のピン４５２ａ、４５２ｂ、４５４ａ、４５４ｂ、４５４ｃを含み、前記複数のピン４５２ａ、４５２ｂ、４５４ａ、４５４ｂ、４５４ｃは図示したように５個のピン４５２ａ、４５２ｂ、４５４ａ、４５４ｂ、４５４ｃを含むことができるが、これに限定されるものではない。
【０１００】
このように、複数個のピン４５２ａ、４５２ｂ、４５４ａ、４５４ｂ、４５４ｃが形成されている場合、複数のピン４５２ａ、４５２ｂ、４５４ａ、４５４ｂ、４５４ｃは任意の数にグルーピングされ、端子領域４５０ａは前記グルーピングされたピン４５２ａ、４５２ｂ、４５４ａ、４５４ｂ、４５４ｃの間の支持基板４３２が除去されている陥没部４５５を含む。
【０１０１】
前記陥没部４５５を基準に左側に形成されるグルーピングされたピン４５２ａ、４５２ｂを第１ピン部４５１、右側のグルーピングされたピン４５４ａ、４５４ｂ、４５４ｃを第２ピン部４５３と定義する。
【０１０２】
前記第１ピン部４５１及び第２ピン部４５３は、互いに異なる数のピン４５２ａ、４５２ｂ、４５４ａ、４５４ｂ、４５４ｃを含む。
【０１０３】
端子領域４５０ａが５個のピン４５２ａ、４５２ｂ、４５４ａ、４５４ｂ、４５４ｃを含む時、前記第１ピン部４５１が２つのピン４５２ａ、４５２ｂを含み、前記第２ピン部４５３が３個のピン４５４ａ、４５４ｂ、４５４ｃを含むことができる。
【０１０４】
このように、複数のピン４５２ａ、４５２ｂ、４５４ａ、４５４ｂ、４５４ｃを互いに異なる数のピン４５２ａ、４５２ｂ、４５４ａ、４５４ｂ、４５４ｃを有するようにグルーピングすることで、通信モジュール４００の前面と背面とを区分することができる。
【０１０５】
また、第１ピン部４５１と第２ピン部４５３との間に陥没部４５５を形成して第１ピン部４５１と第２ピン部４５３のピン４５２ａ、４５２ｂ、４５４ａ、４５４ｂ、４５４ｃの間に形成される干渉を減らすことができる。
【０１０６】
前記陥没部４５５の幅は０．９ｍｍ以上であることがあり、ピン４５２ａ、４５２ｂ、４５４ａ、４５４ｂ、４５４ｃとピン４５２ａ、４５２ｂ、４５４ａ、４５４ｂ、４５４ｃとの間の離隔幅は０．８ｍｍ以下に設定することができるが、これに限定されるものではない。
【０１０７】
前記１ピン部４５１と第２ピン部４５３との境界に支持基板４３２から突出する突起（図示せず）をさらに含むこともできる。
【０１０８】
一方、前記端子領域４５０ａは両側辺に凹に陥没されている係止溝４５６を含む。
【０１０９】
前記係止溝４５６は、図８のようにピン４５２ａ、４５２ｂ、４５４ａ、４５４ｂ、４５４ｃが形成されていない縁部のダミー領域に形成できるが、図９のように縁部に配置されるピン４５２ａ、４５２ｂ、４５４ａ、４５４ｂ、４５４ｃの一部が共に除去されて係止溝４５６を形成することもできる。
【０１１０】
前記係止溝４５６は、前記端子領域４５０ａが照明モジュール５００のコネクター５１１に挿入される時、コネクター５１１の内部の突起（図示せず）と結合して結合力を向上させることができる。
【０１１１】
１つの前記通信モジュール４００を構成する印刷回路基板は、前記無線集積回路４３５の種類及びゲートウェイモジュール５００の制御方式によって回路パターンを異にして形成できる。
【０１１２】
したがって、無線集積回路４３５の種類と制御方式によって複数の印刷回路基板が形成されている時、通信モジュール４００のハウジング４１１、４３１に特定の印刷回路基板を選択的に結合して通信モジュール４００を構成することができる。
【０１１３】
以下、図９及び図１０を参考して制御方式に従うインターフェース部４５０の構成及びモジュール領域４３０ａの回路構成について説明する。
【０１１４】
図９は図１のインターフェースモジュール５００と通信モジュール４００のインターフェース部４５０との間の対応関係を示す構成図であり、図１０は図９の対応関係を満たす通信モジュール４００の回路図である。
【０１１５】
以下、各ピンを図面符号Ｐ１−Ｐ５として定義する。
【０１１６】
図９を参考すると、前記通信モジュール４００のインターフェース部４５０が５個のピンＰ１−Ｐ５を含む時、前記通信モジュール４００のインターフェースのピンＰ１−Ｐ５及びゲートウェイモジュール５００のコネクター５１１のピンは、図９のような出力信号が設定されている。
【０１１７】
即ち、第１ピンＰ１は通信モジュール４００の着脱を知らせるＩ／Ｏ信号が出力され、第２ピンＰ２は前記通信モジュール４００を駆動する基準電圧（Ｖｄｄ）を受信し、第３ピンＰ３は接地電圧（Ground）が受信されるピンであり、第４ピン及び第５ピンＰ４、Ｐ５は制御信号が送信及び受信されるピンである。
【０１１８】
即ち、第１乃至第３ピンＰ１−Ｐ３は基準電圧と関連したピンであり、第４及び第５ピンＰ４、Ｐ５は制御信号と関連するピンであって、前記陥没部４５５が第３ピンと第４ピンＰ３、Ｐ４との間に形成できる。
【０１１９】
前記ゲートウェイモジュール５００と通信モジュール４００との間の制御方式にＵＡＲＴ方式が適用できる。
【０１２０】
ＵＡＲＴ方式は、２つのピンを用いて、１つは受信に、１つは送信に用いられる方式である。
【０１２１】
このように、ＵＡＲＴ方式によりゲートウェイモジュール５００と送受信する場合、前記Ｉ／Ｏ信号はローに設定され、第４ピンＰ４は送信用、第５ピンＰ５は受信用に設定される。
【０１２２】
このために、印刷回路基板は図１０とのような回路を含む。
【０１２３】
即ち、前記無線集積回路４３５の５個の端子と端子領域４５０ａの５個のピンＰ１−Ｐ５との間に形成される回路であって、基準電圧と接地電圧が印加される時、第４及び第５ピンＰ４、Ｐ５は基準電圧と各々抵抗（pull-up抵抗）（Ｒ２、Ｒ３）により連結されている。
【０１２４】
この際、前記Ｉ／Ｏ信号を出力する第１ピンＰ１が接地電圧と第１抵抗（pull-down抵抗）（Ｒ１）に連結されてＩ／Ｏ信号はロー値を有するように設定されている。
【０１２５】
したがって、通信モジュール４００がゲートウェイモジュール５００に挿入されてＩ／Ｏ信号にロー値が印加されれば、ゲートウェイモジュール５００はロー値のＩ／Ｏ信号を読み取って通信モジュール４００が連結されたことと判断する。
【０１２６】
以下、ゲートウェイモジュール５００と通信モジュール４００との間の制御方式を図１１を参考して説明する。
【０１２７】
まず、通信モジュール４００がゲートウェイモジュール５００に挿入されてＩ／Ｏ信号にロー値が印加されれば、ゲートウェイモジュール５００はロー値のＩ／Ｏ信号を読み取る。
【０１２８】
前記ゲートウェイモジュール５００のINPUTに該当する第１ピンはハイ状態を維持してから通信モジュールが挿入されてロー値のＩ／Ｏ信号を受ければ、INPUTの第１ピンがロー値に変わるようになる。
【０１２９】
したがって、通信モジュール４００がゲートウェイモジュール５００に通信モジュール４００の結合状態を知らせる（Ｓ１０）。
【０１３０】
ゲートウェイモジュール５００は、前記情報を受信して通信モジュール４００に該当通信モジュール４００に対する情報を要請する（Ｓ２０）。
【０１３１】
該当通信モジュール４００に対する情報は、実装されている無線通信チップ４３５の無線通信方式を含むことができる。
【０１３２】
前記通信モジュールは、前記要請を受信して通信モジュールに対する情報を転送する（Ｓ３０）。
【０１３３】
前記ゲートウェイモジュール５００は、通信モジュールに対する情報を受信してサーバに通信モジュール４００の情報を転送して格納する。
【０１３４】
以後、ゲートウェイモジュール５００はゲートウェイモジュール５００が提供する無線通信方式の以外に挿入された通信モジュール４００が提供する無線通信方式を追加して周辺の無線コントローラまたは電子機器と送受信して各機器を制御する（Ｓ４０）。
【０１３５】
このように、ゲートウェイモジュール５００が提供する無線通信方式の以外の無線通信方式が要求される場合、前記無線通信方式を提供する通信モジュール４００をゲートウェイモジュール５００に挿入することによって、ゲートウェイが提供する無線通信方式の数を広めることができる。
【０１３６】
したがって、ゲートウェイモジュール５００の全体を取替しないで通信方式を広めることによって、費用が低減し、簡単に追加可能である。
【０１３７】
以上、本発明の実施形態について詳細に説明したが、本発明の権利範囲はこれに限定されるものではなく、次の請求範囲で定義している本発明の基本概念を用いた当業者のさまざまな変形及び改良形態も本発明の権利範囲に属するものである。
【符号の説明】
【０１３８】
１０    ホームネットワークシステム
２１    電子機器
３０    無線コントローラ
４０    ホームゲートウェイシステム
４２    サーバ
４００    通信モジュール
４１０    アンテナ部
４１１、４３１    ハウジング
４３０    無線通信部
４５０    インターフェース部
５００    ゲートウェイモジュール
５１１    コネクター
【図１】
2014103667.tif 000003
【図２】
2014103667.tif 000004
【図３】
2014103667.tif 000005
【図４】
2014103667.tif 000006
【図５】
2014103667.tif 000007
【図６】
2014103667.tif 000008
【図７】
2014103667.tif 000009
【図８】
2014103667.tif 000010
【図９】
2014103667.tif 000011
【図１０】
2014103667.tif 000012
【図１１】
2014103667.tif 000013